(57)【要約】【課題】電源をオンしたときに機器の音声や映像の出力設定を所望の設定にすること。【解決手段】タイマ部５０のタイマ予約実行部５６は、タイマ情報保持部５５に記録されている予約情報を参照して出力設定に関する指定があるか否かを判断する。そして出力設定に関する指定がある場合、タイマ予約実行部５６は、音声設定部４１及び画質設定部４２に対して指定されている出力設定を通知し、音声設定部４１及び画質設定部４２はその指定の出力設定に変更する。【選択図】図１
2009118030.tif 000002
【特許請求の範囲】
【請求項１】
ユーザから視聴予約を受け付ける予約受付工程と、
前記視聴予約の対象を視聴するときの機器の出力設定を定める設定選択工程と、
前記視聴予約の時刻になったときに、前記視聴予約の対象を視聴できるように所定の機器をオンする入力オン工程と、
前記機器がオンしたときに、前記機器の出力設定を前記設定選択工程で定めた前記出力設定とする機器設定工程とを有する
ことを特徴とするタイマ方法。
【請求項２】
前記出力設定は、前記機器を使用するユーザ毎にあらかじめ登録されているものであり、
前記設定選択工程は、前記登録されている出力設定のいずれかの指定を受け付ける
ことを特徴とする請求項１に記載のタイマ方法。
【請求項３】
前記出力設定は、複数の設定項目に関してまとめて登録されたグループ単位で選択されるものであることを特徴とする請求項１又は２に記載のタイマ方法。
【請求項４】
前記出力設定は、前記視聴予約の対象のジャンルに応じて定まるものであることを特徴とする請求項１に記載のタイマ方法。
【請求項５】
前記出力設定は、前記機器が出力する映像又は音声に関するものであることを特徴とする請求項１〜４のいずれかに記載のタイマ方法。
【請求項６】
前記出力設定は、オーディオ・ビジュアル機器の出力設定であることを特徴とする請求項１〜５のいずれかに記載のタイマ方法。
【請求項７】
タイマ機能によりオン制御可能なオーディオ・ビジュアル機器であって、
前記オーディオ・ビジュアル機器の出力設定を行う設定手段と、
ユーザから視聴予約を受け付ける予約受付手段と、
視聴予約されたコンテンツを出力するときの前記出力設定を予約用出力設定としてユーザから受け付ける予約出力設定手段と、
視聴予約時刻になり、当該オーディオ・ビジュアル機器がオンしたときに前記出力設定を前記予約用出力設定とする出力設定制御手段とを有する
ことを特徴とするオーディオ・ビジュアル機器。
【請求項８】
前記設定手段は、ユーザから複数の登録を受け付けるものであり、
前記予約出力設定手段は、前記複数の登録のいずれかから、前記予約用出力設定を選択する
ことを特徴とする請求項７に記載のオーディオ・ビジュアル機器。
【請求項９】
前記予約出力設定手段は、ユーザから受け付ける予約用出力設定のかわりに、前記視聴予約されたコンテンツのジャンルに応じた出力設定を前記予約出力設定とすることを特徴とする請求項８に記載のオーディオ・ビジュアル機器
【請求項１０】
前記設定手段は、一つの登録に関して複数の項目の出力設定を受け付けることを特徴とする請求項９に記載のオーディオ・ビジュアル機器。
【発明の詳細な説明】
【技術分野】
【０００１】
本発明は、タイマ方法及びオーディオ・ビジュアル機器に係り、特に、タイマ機能によりオン動作するタイマ方法及びオーディオ・ビジュアル機器に関する。
【背景技術】
【０００２】
テレビ受信装置やオーディオ機器において、電源をオンしたときにユーザが想定していた設定と異なることがある。たとえば音量の設定に関しては、前回電源をオフした音量になるような設定がなされているテレビ受信装置が多い。したがって、非常に大きな音が出力されてしまったり、小さすぎてしまうこともある。
【０００３】
そこで、電源をオンしたときに所望の音量となるように、たとえばリモコン装置にユーザの好みの設定に変更するためのボタンを設ける技術がある（たとえば、特許文献１参照）。この技術にあっては、通常の電源ボタンとは別に「適音」という電源ボタンを設け、「適音」ボタンを押下することによりテレビ受信装置の電源が投入された場合は、起動時の音量を電源オフ前の音量ではなくあらかじめ設定された適音設定音量にする。これによって、電源がオンしたときに音量が大きすぎてユーザである視聴者がその音に驚くといったことを回避している。
【特許文献１】特開２００７−８１６１７号公報
【発明の開示】
【発明が解決しようとする課題】
【０００４】
ところで、ユーザが手動で電源を投入する際には、誰がどの番組を見ようとしているのかを機器側で把握することができないため、この従来技術で音量以外の音質や画質などを同時に自動設定することはできなかった。また、音量に関しても、機器にあらかじめ設定された音量に自動設定することは可能であるが、ユーザの好みに合わせた最適な音量に設定することはできなかった。
【０００５】
本発明は、このような状況に鑑みてなされたものであり、上記問題点を解決することができるタイマ方法及びオーディオ・ビジュアル機器を提供することを目的とする。
【課題を解決するための手段】
【０００６】
本発明のタイマ方法は、ユーザから視聴予約を受け付ける予約受付工程と、前記視聴予約の対象を視聴するときの機器の出力設定を定める設定選択工程と、前記視聴予約の時刻になったときに、前記視聴予約の対象を視聴できるように所定の機器をオンする入力オン工程と、前記機器がオンしたときに、前記機器の出力設定を前記設定選択工程で定めた前記出力設定とする機器設定工程とを有することを特徴とする。
また、前記出力設定は、前記機器を使用するユーザ毎にあらかじめ登録されているものであり、前記設定選択工程は、前記登録されている出力設定のいずれかの指定を受け付けるようにすることができる。
また、前記出力設定は、複数の設定項目に関してまとめて登録されたグループ単位で選択されるものであるようにすることができる。
また、前記出力設定は、前記視聴予約の対象のジャンルに応じて定まるものであるようにすることができる。
また、前記出力設定は、前記機器が出力する映像又は音声に関するものであるようにすることができる。
また、前記出力設定は、オーディオ・ビジュアル機器の出力設定であるようにすることができる。
本発明のオーディオ・ビジュアル機器は、タイマ機能によりオン制御可能なオーディオ・ビジュアル機器であって、前記オーディオ・ビジュアル機器の出力設定を行う設定手段と、ユーザから視聴予約を受け付ける予約受付手段と、視聴予約されたコンテンツを出力するときの前記出力設定を予約用出力設定としてユーザから受け付ける予約出力設定手段と、視聴予約時刻になり、当該オーディオ・ビジュアル機器がオンしたときに前記出力設定を前記予約用出力設定とする出力設定制御手段とを有することを特徴とする。
また、前記設定手段は、ユーザから複数の登録を受け付けるものであり、前記予約出力設定手段は、前記複数の登録のいずれかから、前記予約用出力設定を選択するようにすることができる。
また、前記予約出力設定手段は、ユーザから受け付ける予約用出力設定のかわりに、前記視聴予約されたコンテンツのジャンルに応じた出力設定を前記予約出力設定とするようにすることができる。
また、前記設定手段は、一つの登録に関して複数の項目の出力設定を受け付けるようにすることができる。
【発明の効果】
【０００７】
本発明のタイマ方法及びオーディオ・ビジュアル機器によれば、ユーザによって視聴予約されたコンテンツを出力するときの出力設定を予約用出力設定として受け付け、オーディオ・ビジュアル機器がオンしたときに出力設定を予約用出力設定とするようにしたので、電源をオンしたときに機器の音声や映像の出力設定をユーザの好みに設定にすることができる。
【発明を実施するための最良の形態】
【０００８】
次に、本発明を実施するための最良の形態（以下、単に「実施形態」という）を、図面を参照して具体的に説明する。本実施形態の概要は次の通りである。ここでは、デジタル放送を受信可能なテレビ受信装置（以下、「デジタルテレビ受信装置」）において、ユーザが視聴予約をしてタイマを作動させる場合を想定する。まず、ユーザが視聴予約の時に、あらかじめユーザが登録していた音声設定及び画質設定を指定する。そして、デジタルテレビ受信装置がオンしたとき、又は予約したチャンネルがタイマ選局されたときに、ユーザが指定した音声設定や画質設定になるように機器の設定を変更する。また、ユーザの指定が無い場合には、視聴するコンテンツのジャンルに応じて機器の設定を変更する。なお、以下では本実施形態に特徴的な機能に関連する構成について主に説明し、それ以外の機能や動作等については図示及び説明を適宜省略している。
【０００９】
図１は、本実施形態に係るデジタルテレビ受信装置１０の機能ブロック図を示している。図示のように、デジタルテレビ受信装置１０は、以下の各構成要素を統括的に制御する主制御部１１と、チューナ２０と、デコーダ３０と、出力処理部４０と、電源管理部１６と、リモコン受信部１５と、タイマ部５０とを備えている。
【００１０】
また、デジタルテレビ受信装置１０は、ユーザに映像及び音声を出力する表示部１３、スピーカ１４とを備えている。なお、主制御部１１やチューナ２０、デコーダ３０、出力処理部４０、タイマ部５０等の各構成要素は、たとえばＣＰＵ（中央演算装置）等のＬＳＩ（大規模集積回路）やメモリで構成され、そのメモリに記憶されたプログラムらが実行されることで、その機能が実現される。
【００１１】
デジタルテレビ受信装置１０はリモコン装置１２により操作可能であり、リモコン受信部１５がリモコン装置１２から出力されたユーザの操作指示信号を受信して主制御部１１に伝える。主制御部１１は、その操作指示信号に応じて、各構成要素を制御する。
【００１２】
チューナ２０はデジタル放送を受信可能であって、リモコン装置１２等で指定されたチャンネルの周波数の信号を選局し、さらに変調されている信号を復調することで多重化された状態のＴＳ（トランスポート・ストリーム）を抽出する。さらに、チューナ２０は、ＤｅＭＵＸ（多重分離）処理を行い所望のＴＳを抽出する。
【００１３】
抽出されたＴＳはデコーダ３０に送られ、デコーダ３０は符号化されている映像信号や音声信号、データ放送用信号等の復号処理を行う。
【００１４】
復号された映像信号や音声信号、データ放送用信号は、設定手段としての出力処理部４０において提示処理がなされて、表示部１３やスピーカ１４に出力される。映像信号の提示処理として、動画や静止画、データ放送用の文字情報などが合成処理やＯＳＤ（オンスクリーン・ディスプレイ）処理がある。また、出力処理部４０は、取得した信号のＳＩ（Ｓｅｒｖｉｃｅ  Ｉｎｆｏｒｍａｔｉｏｎ）を用いてＥＰＧ機能を実行する。
【００１５】
また、出力処理部４０は、音声設定部４１、画質設定部４２及び設定保持部４３を備えている。画質設定部４２は、表示部１３から出力される映像信号の画質を設定する。画質として、たとえば明るさや、シャープネス、コントラスト、色合い、ノイズリダクションの強弱等がある。音声設定部４１は、スピーカ１４から出力する音声の音質を設定する。たとえば、低音の強調設定や、コンテンツのジャンル毎にあらかじめ設けられている推奨設定などがある。そしてそれら設定は、設定保持部４３に記録される。
【００１６】
タイマ部５０は、主制御部１１を介して、ユーザの視聴予約を受け付け、電源部１８を有する電源管理部１６のオンオフ制御及びチューナ２０における選局処理等を行う。そのために、タイマ部５０は、タイマ制御部５１と、タイマ予約部５２と、タイマ実行管理部５３と、時計部５４と、タイマ情報保持部５５と、タイマ予約実行部５６とを備える。
【００１７】
タイマ制御部５１はタイマ予約に関する処理を統括的に制御する。まず、予約受付手段としてのタイマ予約部５２は、ユーザからリモコン装置１２に対してタイマ予約のための操作がなされると、まず、表示部１３に予約画面を表示する。そして、ユーザはその予約画面を見ながら、リモコン装置１２を操作して所望の番組の視聴予約の登録を行う。この予約は、ユーザが予約時間やチャンネル等を直接指定することもできるし、表示部１３に表示されたＥＰＧを参照して指定することもできる。本実施形態では、オンする予約について説明するが、当然、オフの予約も同時に行われてもよい。
【００１８】
そして視聴予約の内容は、視聴予約情報としてタイマ情報保持部５５に保持される。図２は、タイマ情報保持部５５に保持される視聴予約の内容の一例を示した図である。図２に示すように、ここでは視聴予約情報（視聴予約の内容）は、予約番号（Ｎｏ）、オン動作を行う日時、チャンネル、音量、音質、画質、映像のオンオフ、音声のオンオフ、及び予約をした視聴者（ユーザ）の９項目となっている。
【００１９】
たとえば、予約番号１では、オンする日時が「８月３日（金）２０：００」であり、チャンネルが「１０」チャンネル、音量が「１５」、音質が「映画」向けの音質、映像が「ＯＮ」、音声が「ＯＮ」、予約した視聴者が「ユーザＡ」であることを示している。
【００２０】
そして、図３は、視聴予約するとき表示される視聴予約の画面８０の一例を示した図であり、ここでは図２の予約番号１について予約したときの画面８０を示している。この画面８０は、ＥＰＧの画面でユーザが、「８月３日（金）」の「２０：００−２１：５０」に予定されている、ＡＢＣＤ放送局（チャンネル１２３ＣＨ）の番組「○△×物語」を選択して視聴予約するときに表示される。
【００２１】
画面８０では、第１の領域８１において、上述の予約する「放送日時」「チャンネルボタン」「チャンネル」「放送局名」及び「番組タイトル」の５項目が表示される。さらに、その左下の第２の領域８２には、番組の概要が、右下の第３の領域８３には番組情報として映像情報（画面サイズ・解像度）や、音声情報（圧縮フォーマット等）、番組のジャンルが表示される。
【００２２】
さらに、第２及び第３の領域８２，８３の下には、予約詳細設定を行うための第４の領域８４が表示される。ここでは、「予約者指定」「項目別出力設定」「映像出力」「音声出力」に関して、視聴予約するユーザは設定できる。
【００２３】
「予約者指定」とは、視聴予約するユーザを特定するか否かを行うことであり、視聴予約するユーザ毎に、デジタルテレビ受信装置１０がオンしたときの出力設定を指定できる。ここでは、ユーザＡ〜Ｃの３名に関する設定が反映されるように構成されている。なお、各ユーザがどのような出力設定を登録するかは、登録／変更ボタンを操作することで登録画面が表示され、ユーザからの指定を受け付ける。図示の例では、登録可能な設定は、設定領域８５に示すように、「音量」「音質」「画質」の３項目であり、ユーザＡの出力設定として、「音量  １５」「音質  映画」「画質  映画」が登録されている。
【００２４】
「項目別出力設定」では、ユーザは映像及び音声出力に関してより詳細に設定できる。例えば、映像（画質）に関しては、明るさ、シャープネス、コントラスト等の項目の指定ができる。図示では、詳細な設定を行わない「いいえ」ボタンが選択されている。「あり」ボタンが選択された場合には、設定項目領域８６に上述の項目が設定可能に表示される。
【００２５】
さらに、ユーザは、「映像出力」及び「音声出力」の項目で、デジタルテレビ受信装置１０がオンしたときに、映像出力及び音声出力のオン・オフを指定できる。
【００２６】
第１から第４の領域８１〜８４に表示されている内容で視聴予約する場合には、ユーザは一番下の予約実行に関する確認の「はい」ボタンを押下する。また、ここで「いいえ」ボタンが押下された場合、この画面８０からＥＰＧの画面に表示が切り替わる。このようにして、ユーザは、視聴予約及びオンしたときの出力設定を登録することができる。
【００２７】
図１の説明に戻る。予約出力設定手段としてのタイマ実行管理部５３は、時計部５４から取得した現在の時刻とタイマ情報保持部５５に保持されたタイマ予約時刻とを比較して、予約時刻が到来した場合に、タイマ制御部５１を介して、出力設定制御手段としてのタイマ予約実行部５６に予約内容を送る。
【００２８】
タイマ予約実行部５６は、同時刻に複数の視聴予約がある場合、実行する視聴予約を決定する。決定の基準は、例えば、予約の順番や予約した視聴者（ユーザ）が誰であるか等である。また、予約した視聴者が登録されていない場合には、その視聴予約の優先順位を下位にしてもよい。この基準は、あらかじめどのような優先順位で決定するか、ユーザの指定を受けるが、当然に、初期設定で定められている優先順位であってもよい。
【００２９】
そして、タイマ予約実行部５６は、デジタルテレビ受信装置１０の音声設定部４１や画質設定部４２にアクセスして、受け取った予約情報とチューナ２０から取得できる情報に基づいて電源部１８をオンし、同時に音質・画質、視聴チャンネルなどを自動的に設定する。
【００３０】
電源管理部１６は、ユーザのオンオフの指示に従い、電源部１８のオンオフ動作を管理する。ユーザのオンオフの指示とは、リモコン装置１２やデジタルテレビ受信装置１０に備わる電源をオンオフするための所定のボタンに対する操作や、タイマ予約によるオンオフ設定などを指す。
【００３１】
以上のような構成のデジタルテレビ受信装置１０における視聴予約時刻の動作について、図４に示すフローチャートを参照して説明する。
【００３２】
タイマ部５０のタイマ実行管理部５３は、タイマ情報保持部５５に保持されている視聴予約情報と時計部５４とを比較して、現在の時刻が予約時刻になったと判断したら（Ｓ１０）、その予約時刻に対応する予約情報をタイマ情報保持部５５から抽出してタイマ予約部５２に通知する（Ｓ１２）。
【００３３】
タイマ予約実行部５６は、視聴予約が重複していないかを確認する（Ｓ１４）。予約が重複している場合（Ｓ１４のＹ）、タイマ予約実行部５６は上述した基準に基づき優先順位の上の視聴予約をタイマの実行対象の予約として決定する（Ｓ１６）。
【００３４】
予約が重複していない場合（Ｓ１４のＮ）及びＳ１６のステップで実行対象の視聴予約を決定した場合、タイマ予約実行部５６は、デジタルテレビ受信装置１０がオフ又はオンのいずれの状態であるかを確認する（Ｓ１８）。
【００３５】
電源部１８がオフなら（Ｓ１８のＮ）、タイマ予約実行部５６は、タイマ制御部５１及び主制御部１１を介して、電源管理部１６に対して電源部１８をオンするように指示する（Ｓ２０）。
【００３６】
電源部１８がオンの場合（Ｓ１８のＹ）又はＳ２０で電源部１８がオンとなった場合、タイマ予約実行部５６は、チューナ２０に対して予約情報に登録されているチャンネルを選局するように指示し、チューナ２０はその指示のチャンネルを選局する（Ｓ２２）。
【００３７】
つづいて、タイマ予約実行部５６は、予約情報を参照して出力設定に関する指定があるか否かを判断する（Ｓ２４）。
【００３８】
出力設定に関する指定がある場合（Ｓ２４のＹ）、タイマ予約実行部５６は、音声設定部４１及び画質設定部４２に対して指定されている出力設定を通知し、音声設定部４１及び画質設定部４２はその指定の出力設定に変更する（Ｓ２６）。また、出力設定に関する指定が無い場合（Ｓ２４のＮ）、タイマ予約実行部５６は出力処理部４０から番組情報を取得し（Ｓ２８）、そのジャンルに応じた出力設定に変更する（Ｓ３０）。なお、視聴予約のときに、番組のジャンル情報が視聴予約の情報とともにタイマ情報保持部５５に記憶されている構成の場合は、タイマ予約実行部５６は、タイマ情報保持部５５から番組のジャンルを特定する。
【００３９】
Ｓ２６又はＳ２８の処理で、出力設定が所定の設定となったら、出力処理部４０は、その設定で表示部１３及びスピーカ１４に視聴予約されていた番組の映像及び音声を出力する（Ｓ３２）。
【００４０】
このように、本実施形態では、上述した構成及び処理によって、デジタルテレビ受信装置１０がタイマ機能によりオンしたときに、視聴予約したユーザが望む出力設定でデジタルテレビ受信装置１０に番組を出力させることができる。また、あらかじめユーザ毎に出力設定を登録できるので、予約のときに簡単に所望の出力設定を指定できる。さらに、出力設定が指定されない場合であっても、番組のジャンルに応じて出力設定を変更できるので、番組に相応しい出力設定にできる。さらに、視聴予約時に詳細な出力設定をすることもできる。
【００４１】
なお、本実施形態では、視聴予約を行うオーディオ・ビジュアル機器としてデジタルテレビ受信装置を例示したが、これに限らず、ＤＶＤレコーダや、ＡＶアンプ等に適用してもよい。また、タイマでオンする機器は複数であってもよい。この場合の例として、ＤＶＤレコーダでコンテンツを再生し、テレビ受信装置で映像を出力し、ＡＶアンプで音声を出力するようにする。その場合、各装置間の制御を可能とするＨＤＭＩインタフェイスでそれら装置が接続されていれば、ＤＶＤレコーダで視聴予約したときに、テレビ受信装置やＡＶアンプの出力設定を実施形態のように指定し、オンしたときに指定の設定となるように作動させることができる。
【図面の簡単な説明】
【００４２】
【図１】本実施形態に係る、デジタルテレビ受信装置の機能ブロック図である。
【図２】本実施形態に係る、デジタルテレビ受信装置のタイマ情報保持部に保持される視聴予約の内容の一例を示した図である。
【図３】本実施形態に係る、デジタルテレビ受信装置においてユーザが視聴予約するとき表示される視聴予約の画面の一例を示した図である。
【図４】本実施形態に係る、デジタルテレビ受信装置における視聴予約時刻の動作を示したフローチャートである。
【符号の説明】
【００４３】
１０  デジタルテレビ受信装置
１１  主制御部
１２  リモコン装置
１３  表示部
１４  スピーカ
１５  リモコン受信部
１６  電源管理部
１８  電源部
２０  チューナ
３０  デコーダ
４０  出力処理部
４１  音声設定部
４２  画質設定部
４３  設定保持部
５０  タイマ部
５１  タイマ制御部
５２  タイマ予約部
５３  タイマ実行管理部
５４  時計部
５５  タイマ情報保持部
５６  タイマ予約実行部
【図１】
2009118030.tif 000003
【図２】
2009118030.tif 000004
【図３】
2009118030.tif 000005
【図４】
2009118030.tif 000006